(57)【要約】      （修正有）【課題】環境場所評価の地図データ処理及び出力を行うコンピュータプログラム製品を提供する。【解決手段】プログラムがサーバに導入された後、モバイル装置からのＧＰＳ位置情報及び調査情報を受信しＳ２２、ＧＰＳ位置情報及び地域包括範囲情報に基づき、調査情報を特定の地域に関連し、そのうち、地域包括範囲情報は、特定地域を地図上の包括範囲に記録しＳ２３、調査情報及び区域分布状況を処理し、処理結果に基づき、環境場所評価情報を発生し、ターミナルコンピュータに出力する。【選択図】図２
2016001442.tif 000002
【特許請求の範囲】
【請求項１】
環境場所評価の地図データ処理及び出力を行うコンピュータプログラム製品であって、該コンピュータプログラム製品は、該サーバに導入された後、
少なくとも１つのモバイル装置からのＧＰＳ位置情報及び調査情報を受信し、
該ＧＰＳ位置情報及び地域包括範囲情報に基づき、該調査情報を特定の地域に関連し、そのうち、該地域包括範囲情報は、特定地域を地図上の包括範囲に記録し、
該調査情報及び区域分布状況を処理し、処理結果に基づき、環境場所評価情報を発生し、ターミナルコンピュータに出力する環境場所評価の地図データ処理及び出力を行うコンピュータプログラム製品。
【請求項２】
前記サーバは、調査情報入力ウェブ頁及びＧＰＳ位置情報入力ウェブ頁を提供し、使用者が該モバイル装置のブラウザによって該調査情報入力ウェブ頁において該調査情報を入力し、該ＧＰＳ位置情報入力ウェブ頁において該ＧＰＳ位置情報を入力することができるようにする請求項１に記載の環境場所評価の地図データ処理及び出力を行うコンピュータプログラム製品。
【請求項３】
前記環境場所評価情報は、調査範囲地図であり、そのうち、該調査範囲地図は、デジタル地図において、マーキング線により地域包括範囲を定義し、該調査情報を該ＧＰＳ位置情報に基づき、該地図包括範囲の中にマークする請求項１に記載の環境場所評価の地図データ処理及び出力を行うコンピュータプログラム製品。
【請求項４】
前記地域包括範囲は、該モバイル装置のアプリケーションプログラムによって設定を行うことができる請求項３に記載の環境場所評価の地図データ処理及び出力を行うコンピュータプログラム製品。
【請求項５】
前記コンピュータプログラム製品は、該サーバに導入された後、更に、
目標区域に対する要調査総数、現在調査済数量、調査期間、調査完成率の任意の１つの又は複数に基づいて計算を行い、インベントリ情報を出力する請求項１に記載の環境場所評価の地図データ処理及び出力を行うコンピュータプログラム製品。
【請求項６】
前記調査情報及び区域分布情報を処理することは、該調査情報及び該区域分布状況に対して行う統計分析を含む請求項１に記載の環境場所評価の地図データ処理及び出力を行うコンピュータプログラム製品。
【請求項７】
前記地域包括範囲の情報は、地図上の包括範囲に特定区域を記録し、該調査情報は、現場インベントリ、土壌サンプルサンプリング、地下水サンプルサンプリング、又は廃棄物サンプルサンプリングの中の任意の１種又は複数である請求項１乃至請求項６の何れか１項に記載の環境場所評価の地図データ処理及び出力を行うコンピュータプログラム製品。
【請求項８】
前記特定地域は、廃棄工場の区域である請求項１乃至請求項６の何れか１項に記載の環境場所評価の地図データ処理及び出力を行うコンピュータプログラム製品。
【請求項９】
サーバに応用されて実施され、以下のステップ：
モバイル装置からのＧＰＳ位置情報及び調査情報を受信し、
該ＧＰＳ位置情報及び地域包括範囲情報に基づき、調査情報を特定の地域に関連付け、そのうち、地域包括範囲情報は、特定地域を地図上の包括範囲に記録し、
該調査情報及び区域分布状況に対して統計分析を行い、統計分析結果に基づき、環境場所評価情報を発生し、ターミナルコンピュータに出力する、
を含む環境場所評価の地図データ処理及び出力方法。
【請求項１０】
更に、以下のステップ：
アプリケーションプログラムを該モバイル装置に提供し、該アプリケーションプログラムは、該モバイル装置に実装され且つ動作され、使用者に該アプリケーションプログラムによって該モバイル装置の該ＧＰＳ位置情報及び該調査情報をインターネット又はモバイル装置を介して該サーバに伝送させる、
を含む請求項９に記載の環境場所評価の地図データ処理及び出力方法。
【請求項１１】
更に、以下のステップ：
調査情報入力ウェブ頁及びＧＰＳ位置情報入力ウェブ頁を提供し、使用者に該モバイル装置のブラウザによって該調査情報入力ウェブ頁及び該ＧＰＳ位置情報入力ウェブ頁を開き、該調査情報入力ウェブ頁に該調査情報を入力し、該ＧＰＳ位置情報入力ウェブ頁は、該ＧＰＳ位置情報を入力する、
を含む請求項９に記載の環境場所評価の地図データ処理及び出力方法。
【請求項１２】
前記環境場所評価情報は、調査範囲地図であり、そのうち、該調査範囲地図は、マップオーバーレイ方式で、デジタル地図中に地域包括範囲を定義し、該調査情報を該ＧＰＳ位置情報に基づき、該地域包括範囲の中にマークする請求項９に記載の環境場所評価の地図データ処理及び出力方法。
【請求項１３】
更に、以下のステップ：
目標区域の要調査総数、現在調査済数量、調査期間、調査完成率の何れか１つ又は複数に基づき、計算してインベントリ情報を出力する、
を含む請求項９に記載の環境場所評価の地図データ処理及び出力方法。
【請求項１４】
環境評価統計サーバ及び１つ又は複数のモバイル装置を含み、該環境評価統計サーバは、該モバイル装置とデータ交換を行い、以下のステップ：
該モバイル装置は、ＧＰＳ位置情報及び調査情報を該環境評価統計サーバにアップロードし、
該環境評価統計サーバは、該ＧＰＳ位置情報及び地域包括範囲情報に基づき、該調査情報を特定の地域に関連付け、そのうち、該地域包括範囲情報は、特定地域を地図上の包括範囲に記録し、該環境評価統計サーバは、該調査情報及び区域分布状況を処理し、処理結果に基づき環境場所評価情報を発生し、ターミナルコンピュータに出力する、
を含む環境場所評価の地図データ処理及び出力のシステム。
【請求項１５】
前記環境評価統計サーバは、アプリケーションプログラムインストールファイルを該モバイル装置に提供し、該アプリケーションプログラムを該モバイル装置にインストールした後、該モバイル装置の該ＧＰＳ位置情報及び該調査情報をインターネット又はモバイルネットワークを介して該環境評価統計サーバに伝送する請求項１４に記載の環境場所評価の地図データ処理及び出力のシステム。
【発明の詳細な説明】
【技術分野】
【０００１】
本発明は、環境場所評価のコンピュータプログラム製品に関し、特に、環境場所評価の地図データを出力することができるシステム、コンピュータプログラム製品及びその方法に関する。
【背景技術】
【０００２】
環境場所評価は、現在社会で不可欠な一環となっており、建設、環境保護、作物等の作業又は議題は、事前に目標地区に対して環境場所評価を行い、この目標地区の汚染状況及び建設等の作業を行うことに適合するか否かを理解する必要がある。また、リスクの高い汚染区域、例えば、廃工場等の地区は、全面的に環境場所評価を行ってチェックを行い、どの区域が汚染されていて早期に改善する必要があるかを確定する必要がある。
【０００３】
しかしながら、環境場所評価は、人力及び時間コストを非常に消費する作業であり、従来の環境場所評価は、調査員が現場へ行ってサンプリング/調査記録を行った後、記録を戻して収集整理し、分析統計を行って初めて環境場所評価報告を獲得することができ、このような方法が費やす時間は、長過ぎ且つ随時随処で特定区域又は時間に対する分析データを取得することができない。
【０００４】
また、従来の環境場所評価方法は、最新の現地調査データに基づいて即時に統計データを動的に更新し、全体の環境評価地図を出力することができず、例えば、某箇所で最近に悪意のある化学物質の放出廃棄を発見し、即座に現場へ調査員を派遣し、緊急に現地調査を行う場合、現地サンプリング/調査結果を取得する環境場所評価報告全体を第１時間に更新することができない。
【先行技術文献】
【特許文献】
【０００５】
【特許文献１】特開２００２−２５６５４６号公報
【発明の概要】
【発明が解決しようとする課題】
【０００６】
上記従来環境場所評価システム及び方法の問題に鑑み、本発明の目的は、現地調査情報に基づき、地図データ処理を提供し、出力する環境場所評価システム及び方法を提供し、後工程の情報員が、現場調査員が調査情報を取得した第１時間に環境場所評価全体の分析情報を迅速に取得することができるようにし、且つ閲読理解し易い地図方式で呈現し、環境場所評価を迅速に掌握させることにある。
【課題を解決するための手段】
【０００７】
本発明の目的に基づき、環境場所評価の地図データ処理及び出力を行うコンピュータプログラム製品を提示し、それは、サーバに運用し、該プログラムが該サーバに導入された後、該モバイル装置からのＧＰＳ位置情報及び調査情報を受信し、該ＧＰＳ位置情報及び地域包括範囲情報に基づき、該調査情報を特定の地域に関連し、そのうち、該地域包括範囲情報は、特定地域を地図上の包括範囲に記録し、該調査情報及び区域分布状況を処理し、処理結果に基づき、環境場所評価情報を発生し、ターミナルコンピュータに出力する。
【０００８】
本発明の構想に基づき、該サーバは、調査情報入力ウェブ頁及びＧＰＳ位置情報入力ウェブ頁を提供し、使用者が該モバイル装置のブラウザによって該調査情報入力ウェブ頁において該調査情報を入力し、該ＧＰＳ位置情報入力ウェブ頁において該ＧＰＳ位置情報を入力することができるようにする。
【０００９】
本発明の構想に基づき、該環境場所評価情報は、調査範囲地図であり、そのうち、該調査範囲地図は、デジタル地図において、マーキング線により地域包括範囲を定義し、該調査情報を該ＧＰＳ位置情報に基づき、該地図包括範囲の中にマークする。また、該地域包括範囲は、該モバイル装置のアプリケーションプログラムによって設定を行うことができる。本発明の構想に基づき、更に、目標区域に対する要調査総数、現在調査済数量、調査期間、調査完成率の任意の１つの又は複数に基づいて計算を行い、インベントリ情報を出力する。また、該調査情報及び区域分布情報を処理することは、該調査情報及び該区域分布状況に対して行う統計分析を含む。好ましくは、該特定区域は、廃棄工場の区域である。
【００１０】
本発明の構想に基づき、該地域包括範囲の情報は、地図上の包括範囲に特定区域を記録し、該調査情報は、現場インベントリ、土壌サンプルサンプリング、地下水サンプルサンプリング、又は廃棄物サンプルサンプリングの中の任意の１種を指し、該特定地域は、廃棄工場の区域である。
【００１１】
本発明の目的に基づき、更に、環境場所評価の地図データ処理及び出力方法を提示し、該方法は、サーバに応用されて実施され、以下のステップを含む：アプリケーションプログラムを該モバイル装置に提供し、該アプリケーションプログラムが該モバイル装置に実装された後、使用者は、該アプリケーションプログラムによって該モバイル装置の該ＧＰＳ位置情報及び該調査情報をインターネット又はモバイル装置を介して該サーバに伝送することができ、或いは、調査情報入力ウェブ頁及びＧＰＳ位置情報入力ウェブ頁を提供し、使用者に該モバイル装置のブラウザによって該調査情報入力ウェブ頁及び該ＧＰＳ位置情報入力ウェブ頁を開き、該調査情報入力ウェブ頁に該調査情報を入力し、該ＧＰＳ位置情報入力ウェブ頁は、該ＧＰＳ位置情報を入力し、モバイル装置からのＧＰＳ位置情報及び調査情報を受信し、該ＧＰＳ位置情報及び地域包括範囲情報に基づき、該調査情報を特定の地域に関連付け、そのうち、該地域包括範囲情報は、特定地域を地図上の包括範囲に記録し、該調査情報の内容及び区域分布状況に対して統計又は分析を行った後、環境場所評価情報を出力する。
【００１２】
本発明の目的に基づき、更に、環境場所評価の地図データ処理及び出力のシステムを提供し、それは、環境評価統計サーバ及び１つ又は複数のモバイル装置を含み、該環境評価統計サーバは、該モバイル装置とデータ交換を行い、以下のステップを含む：該モバイル装置は、ＧＰＳ位置情報及び調査情報を該環境評価統計サーバにアップロードし、該環境評価統計サーバは、該ＧＰＳ位置情報及び地域包括範囲情報に基づき、該調査情報を特定の地域に関連付け、そのうち、該地域包括範囲情報は、特定地域を地図上の包括範囲に記録し、該環境評価統計サーバは、該調査情報及び区域分布状況を処理し、処理結果に基づき環境場所評価情報を発生し、ターミナルコンピュータに出力する。
【００１３】
本発明の構想に基づき、該環境評価統計サーバは、アプリケーションプログラムインストールファイルを該モバイル装置に提供し、該アプリケーションプログラムを該モバイル装置にインストールした後、該モバイル装置の該ＧＰＳ位置情報及び該調査情報をインターネット又はモバイルネットワークを介して該環境評価統計サーバに伝送する。
【発明の効果】
【００１４】
上記のように、本発明に基づく環境場所評価の地図出力及び統計のシステム及び方法は、以下の利点を有する：
後工程員が、第１時間に最新調査情報分析統計に基づいて得られる場所範囲地図を獲得することができ、全体及び個別区域の環境場所評価状況を迅速に掌握することができる。
【図面の簡単な説明】
【００１５】
【図１】本発明の具体実施例に基づく環境場所評価の地図データ処理及び出力システムの構造説明図である。
【図２】本発明の具体実施例に基づく環境場所評価の地図データ処理及び出力方法の各ステップを説明するフロー図である。
【図３】本発明の具体実施例に基づく調査範囲地図を説明する航空写真図である。
【発明を実施するための形態】
【００１６】
以下に具体的実施例を挙げ、本願の内容を詳細に説明し、図面を補助として説明する。説明において、提示する符号は、図面符号を参照するものである。注意すべき点として、説明において、提示する「含む」は、開放式の用語であり、「含むが、限定するものではない」として解釈すべきものである。また、当業者は、同一部材/製品がしばしば異なる呼び方、例えば、「地図データ」又は「地図」、「デジタル地図」又は「電子地図」、「モバイル装置」又は「可携帯式装置」を有すると理解するものであるので、本明細書で提示するものと同分野且つ機能が相似する部材/製品は、当然、本明細書の範囲に含まれるものである。
【００１７】
図１を参考にし、それは、本発明の具体的実施例の環境場所評価の地図データ処理及び出力システムの構造説明図である。図１に示すように、本発明の環境場所評価の地図データ処理及び出力システムは、環境評価統計サーバ１、１つ又は複数のモバイル装置２、ターミナルコンピュータ３１、ターミナルコンピュータ３２から構成される。
【００１８】
各モバイル装置２は、インターネットを介して環境評価統計サーバ１に接続し、環境評価統計サーバ１に即時に１つ又は複数のモバイル装置２のＧＰＳ位置情報及び調査情報を受信させることができる。ターミナルコンピュータ３１は、ローカル端末（例えば、ＬＡＮ）から環境評価統計サーバ１に接続し、ターミナルコンピュータ３１に環境評価統計サーバ１から環境場所評価情報を取得させることができ、そのうち、該環境場所評価情報は、環境評価統計サーバ１が調査情報の内容及び区域分布状況に基づき統計又は分析を行った後に出力する。ターミナルコンピュータ３２は、リモート端末（例えば、インターネット）が環境評価統計サーバ１に接続し、使用者がログイン又は証明書等の認証手段を経た後、ターミナルコンピュータ３２は、環境評価統計サーバ１から環境場所評価情報を取得することができる。
【００１９】
本発明において、前記サーバは、処理、データベース及び通信施設を提供することができるサーバを表し、単一の実体処理器に限らず、それは、相関する通信及び/又はデータ保存器及び/又はデータベース施設、又はネットワーク化又はクラスタ化されたプロセッサ複合体、及び創刊するネットワーク及び/又はストレージ装置、及びオペレーションソフトウェア及び１つ又は複数のデータベースシステム、及び/又は該サーバに提供荒れる該サービスを支援するアプリケーションソフトウェアシステムを有する。
【００２０】
本発明において、モバイル装置２は、スマートフォン、タブレットＰＣ、ノート型パソコン、ＰＤＡ等のインターネット又はモバイルネットワークにアクセス可能な豊富なパターン化インタフェースを有する可携帯式装置から選択することができる。また、一般に、ターミナルコンピュータ３１、ターミナルコンピュータ３２は、一般用との計算装置であり、それらは、ＣＰＵ、メモリユニット、永久ストレージ、光学装置、ＵＳＢ、オーディオ/ビデオ出力装置、ネットワークインターフェース等を有する。しかしながら、当業者であれば理解できるように、本発明の精神を離脱しない範囲内において、ターミナルコンピュータ３１、ターミナルコンピュータ３２モバイル装置、例えば、スマートフォン又はタブレットＰＣ又はノート型パソコンであることもでき、特定アプリケーションを実装するか、ブラウザを利用して環境評価統計サーバ１が提供する環境場所評価情報を開くことができる。
【００２１】
図２を参考にし、それは、本発明に基づく具体実施例の環境場所評価の地図データ処理及び出力方法の各ステップを説明する。本発明の環境場所評価の地図データ処理及び出力方法は、図１に示すシステムに応用され、実施される。
【００２２】
ステップＳ２０を参考にし、環境評価統計サーバ１は、目標区域の要調査総数、現在調査済総数、調査期間、調査完成率等情報に基づき、調査情報を製造しターミナルコンピュータ３１、ターミナルコンピュータ３２に提供する（図面符号は、図１を併せて参考とする）。表１を併せて参考とし、それは、本発明のインベントリ情報の説明表である。表１に示すように、環境評価統計サーバ１は、調査情報統計に基づき現在のインベントリ進度及び全体調査完成率を帰納的に求め、使用者が簡単で迅速に現在の環境場所評価の全体状況を得ることができ、そのうち、前記調査情報は、好ましくは、モバイル装置２に提供される。インベントリ情報は、区域、インベントリ総数、調査期間、予定数量、完成数量、累積完成数量、完成率等の表の内容を含む。また、区域は、更に小さい区域に分割することができ、個別の完成状況をチェックし、例えば、区域Ａは、Ａ１及びＡ２に分割することができ（例えば、台北を台北市及び新北市に分割する）、このように、総体及び個別の環境場所評価作業状態を更に明確に理解することができる。
【００２３】
表１
【００２４】
上記のインベントリ情報により、使用者は、現在完成済及び進行が必要なインベントリ/調査情報を迅速に掌握することができ、且つシステムに提供される完成率は、更に、使用者に全体の実行状況を迅速に理解させることができ、使用者に後述の作業及びフローを更に容易に進行させることができる。
【００２５】
続けて、図２のステップＳ２１を参考とし、それは、アプリケーションプログラムをモバイル装置２に提供し（図１参照）、該アプリケーションプログラムは、モバイル装置２に実装することができ、使用者に本発明の環境場所評価の地図データ処理及び出力システムとインタラクションさせることができる。ステップＳ２２において、使用者は、モバイル装置２を使用し、現地において、調査作業を行い、該アプリケーションプログラムを起動する時、該アプリケーションプログラムは、即時にＧＰＳ位置情報及び調査情報を戻すことができる。言い換えれば、使用者は、モバイル装置２を利用して調査現場において、観測及びサンプリング/調査作業を行う時、使用者がモバイル装置２に観測又は調査情報（例えば、サンプリング情報、目測情報、測量情報、又は写真等）を入力した後、モバイル装置２は、その時のＧＰＳ位置情報及び該観測又は調査情報をインターネット又はモバイルネットワークを介して環境評価統計サーバ１へ即座に返す。もう１つの実施方式において、環境評価統計サーバ１は、該調査情報入力ウェブ頁及び該ＧＰＳ位置情報入力ウェブ頁を開き、該調査情報入力ウェブ頁に該調査情報を入力し、該ＧＰＳ位置情報入力ウェブ頁に該ＧＰＳ位置情報を入力する。モバイル装置２は、随時前記入力情報をインターネット又はモバイルネットワークを介して環境評価統計サーバ１に返す。前記ＧＰＳ位置情報入力ウェブ頁は、デジタル地図画面をモバイル装置２に提供し、使用者に直接所在地の位置を選択させ、使用者が選択した後、そのデータを後行程へ返し、モバイル装置２の実際のＧＰＳ位置情報として転換する。本発明において、前記調査情報は、現場インベントリ、土壌サンプルサンプリング、地下水サンプルサンプリング、又は廃棄物サンプルサンプリングのうちの何れか１種を指す。
【００２６】
ステップＳ２３を参考にして、環境評価統計サーバ１は、該ＧＰＳ位置情報及び地域包括範囲情報に基づき、調査情報を特定の地域に関連付け、そのうち、該地域包括範囲情報は、特定地域を地図上の包括範囲に記録する。即ち、環境評価統計サーバ１は、デジタル地図を有し、該デジタル地図の地図データは、リモート端末又はローカル端末のネットワーク、又は環境評価統計サーバ１自身のストレージ装置中に保存することができ、また、地域包括範囲情報がこのデジタル地図中の地域データ（例えば、このデジタル地図中のどの範囲が過去に工場として使用されていたか）をマークする。このように、デジタル地図及び地域包括範囲情報を結合した後、環境評価統計サーバ１は、デジタル地図中の特定地域の使用状況を計算して理解することができ、例えば、該特定地域は、廃棄工場の区域である時、デジタル地図及び地域包括範囲情報は、どの区域が汚染のリスクの高い区域であるかを理解することができる。続いて、環境評価統計サーバ１は、モバイル装置２が提供するＧＰＳ位置情報及び当時の調査情報を提供し、調査情報を、逐一地域包括範囲情報を結合したデジタル地図中に関連付け、環境評価統計サーバ１をＧＰＳ位置情報、調査情報及び地域包括範囲情報によって計算、統計又は分析した後に環境場所評価情報を発生し、ターミナルコンピュータ３１、ターミナルコンピュータ３２に出力することができる。
【００２７】
ステップＳ２４を参考にし、使用者が必要とする環境場所評価情報が調査範囲地図であり、環境評価統計サーバ１は、マップオーバーレイ方式であり、デジタル地図中に地域包括範囲を定位し、マークし、調査情報を当時のＧＰＳ位置情報に基づき、デジタル地図の地域包括範囲中にマークする。図３を併せて参考とし、図３は、航空写真図であり、それは、本発明に基づく具体的実施例の調査範囲地図を説明する。図３に示すように、デジタル地図４は、マップオーバーレイ方式で地域包括範囲情報４１（点線でマークする範囲）及び実際のレイアウト範囲情報４２（実線でマークする範囲）をマークし、そのうち、地域包括範囲情報４１は、デジタル地図４中の特定用途の地域データを表し、例えば、このデジタル地図中の某範囲は、過去に工場として使用されていたものであり、実際のレイアウト範囲情報４２は、地域包括範囲情報４１中の更に細分された実際の使用状況及びその範囲、例えば、この工場範囲中のどの区域が実際の工場の建設範囲であるか等を表す。このように、デジタル地図４上にのどの区域が特定用途に使用されていたか、及びこの区域中の更に詳細な区分が一目瞭然であることができ、ターミナルコンピュータ３１、ターミナルコンピュータ３２を使用してこの調査範囲地図を観覧する使用者の全体の情報に対する受け入れの速度を増加させることができる。
【００２８】
本発明に基づき、マップオーバーレイ方式で地域包括範囲情報４１及び実際の配置範囲情報４２をデジタル地図４にマークした後、環境評価統計サーバ１は、更に、モバイル装置２が提供する調査情報を受信し、当時のＧＰＳ位置情報をデジタル地図４中にマークする。例えば、三角形アイコンは、土壌サンプル調査情報を表示し、円形アイコンは、地下水サンプル調査情報を表し、方形アイコンは、廃棄物サンプル調査情報を表し、円型の近傍にサンプリング点/調査点番号を表す。好ましくは、地図層の内容、図例、スケール、コンパス及び文字注釈説明等のデータ表示を提供し、全ての関連データ情報を十分に展示し、各環境場所評価段階作業の成果パフォーマンスを効率的に補助する。また、地域包括範囲情報４１及び実際の配置範囲情報４２は、モバイル装置２のアプリケーションプログラムによって設定を行うことができ、現場のスタッフが調査する時、実際の状況に応じて地域包括範囲情報４１及び実際の配置範囲情報４２を修正することができる。
【００２９】
好ましくは、使用者がターミナルコンピュータ３１、ターミナルコンピュータ３２を介してその調査範囲地図を観覧する時、調査情報のマーク記号（三角形アイコン、円形アイコン、方形アイコン）をクリックすることで更に調査情報の詳細内容を表示することができ、例えば、調査員、調査員管制データ、調査器具管制データ、土壌サンプルサンプリング記録、地下水サンプルサンプリング記録、廃棄物サンプルサンプリング記録、モニタリング基本情報、その他の事項、確認表等を設定することができる。
【００３０】
上記のように、本発明の環境場所評価の地図出力及び統計のシステム及び方法によって、環境評価統計サーバがモバイル装置の提供する調査情報及びＧＰＳ位置情報を受け取った後に即座に計算して調査範囲地図を出力し、後工程の巣タップが第１時間に上記地図又はデータを獲得することができ、言い換えれば、本発明は、モバイル装置及び環境評価統計サーバを結合して随時閲読理解しやすい調査範囲地図情報を提供し、全体及び個別の環境場所評価状況を即時に迅速に掌握させることができる。
【００３１】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００３２】
１  環境評価統計サーバ
２  モバイル装置
３１，３２  ターミナルコンピュータ
４  デジタル地図
４１  地域包括範囲情報
４２  実際の配置範囲情報
Ｓ２０〜Ｓ２４  ステップ
【図１】
2016001442.tif 000003
【図２】
2016001442.tif 000004
【図３】
2016001442.tif 000005